(57)【要約】【課題】フラットケーブルの導体とコネクタの端子の接触導通部が振動等を受けても導通不良が発生するのを防止する。【解決手段】フラットケーブル２０の導体が接触導通される端子３が装着されたハウジング２と、ハウジング２に差し込まれるフラットケーブル２０の先端部を位置決め保持するロック部材４と、端子３の配列方向のハウジング２の両端部に固定され、ロック部材４をハウジング２側に押圧するばね部５ｃを有する押え部材５とを備え、フラットケーブルの先端部が差し込まれるハウジング２の差込み部６の両側壁面６ａが奥に向かって間隔が狭くなるように形成され、フラットケーブルの先端部に形成された係止孔２３に挿入される係止部８をロック部材４に形成し、係止孔２３の先端側の縁２３ａに当接する係止部８の係止面を、先端から基部に向かって差込み部６の奥側に傾斜して形成したことを特徴とする。【選択図】  図２
2014216193.tif 000002
【特許請求の範囲】
【請求項１】
フラットケーブルの複数の導体がそれぞれ接触導通される複数の端子が装着されたハウジングと、前記ハウジングに差し込まれる前記フラットケーブルの先端部を位置決め保持するロック部材と、前記ハウジングの前記端子の配列方向の両端部に固定され、前記ロック部材を前記ハウジング側に押圧するばね部を有する押え部材を備え、
前記ハウジングは、前記フラットケーブルの先端部が差し込まれる差込み部を有し、該差込み部の両側壁面が差込み口から奥に向かって間隔が狭くなるように形成され、
前記ロック部材は、前記フラットケーブルの先端部の両側に形成された係止孔にそれぞれ挿入される一対の係止部を有し、該各係止部は、前記係止孔の先端側の縁に当接する係止面が先端から基部に向かって前記差込み部の奥側に傾斜して形成されているフラットケーブル用コネクタ。
【発明の詳細な説明】
【技術分野】
【０００１】
本発明は、可撓性を有する絶縁フィルムに複数の導体パターンを挟んで形成されたケーブル、又は可撓性を有する平板型の導体を複数本並べて被覆したリボン状のケーブル（以下、フラットケーブルと総称する。）を、電子部品に接続するために用いられるフラットケーブル用コネクタに関する。
【背景技術】
【０００２】
このようなフラットケーブル用コネクタとして、例えば、特許文献１には、ほぼ直方体状のコネクタのハウジングにフラットケーブルの端末部が挿入される凹部を形成し、凹部の底面から突出して一対の突起を形成し、その一対の突起をフラットケーブルの端末部の両側面に形成した一対の係合凸部に係止させ、ハウジングの凹部をほぼ矩形板状のカバーハウジングで開閉可能に覆う構成のものが提案されている。
【０００３】
特に、同文献には、フラットケーブルに加えられる力によって、コネクタの一対の突起が損傷するのを防止するために、一対の突起に隣接させて金属補強板を設け、金属補強板を一対の突起と共に、フラットケーブルの両側面に形成した一対の係合凸部に係止させることを提案している。
【先行技術文献】
【特許文献】
【０００４】
【特許文献１】特開２００６−１９６４２４号公報
【発明の開示】
【発明が解決しようとする課題】
【０００５】
しかし、特許文献１等に代表されるように、従来技術では、コネクタの係止突起とフラットケーブルの端末部の係合部とに寸法上の緩みがあると、フラットケーブル用コネクタの接触導通部が振動などにより位置がずれて、フラットケーブルの導体とコネクタの端子との導通不良が発生することについては考慮されていない。
【０００６】
本発明が解決しようとする課題は、フラットケーブルの導体とコネクタの端子の接触導通部が振動等を受けて導通不良が発生するのを防止することにある。
【課題を解決するための手段】
【０００７】
上記の課題を解決するため、本発明のフラットケーブル用コネクタは、フラットケーブルの複数の導体がそれぞれ接触導通される複数の端子が装着されたハウジングと、前記ハウジングに差し込まれる前記フラットケーブルの先端部を位置決め保持するロック部材と、前記ハウジングの前記端子の配列方向の両端部に固定され、前記ロック部材を前記ハウジング側に押圧するばね部を有する押え部材とを備え、前記ハウジングは、前記フラットケーブルの先端部が差し込まれる差込み部を有し、該差込み部の両側壁面が差込み口から奥に向かって間隔が狭くなるように形成され、前記ロック部材は、前記フラットケーブルの先端部の両側に形成された係止孔にそれぞれ挿入される一対の係止部を有し、該各係止部は、前記係止孔の先端側の縁に当接する係止面が先端から基部に向かって前記差込み部の奥側に傾斜して形成されていることを特徴とする。
【０００８】
したがって、本発明によれば、ハウジングの差込み部の両側壁面が、差込み部の奥に向かって間隔が狭くなるように形成されているから、フラットケーブルを差し込むことによって、フレットケーブルの先端部の両側面が差込み部の両側壁に当接される。また、フラットケーブルの係止孔に挿入されるロック部材の係止部において、係止孔の先端側の縁に当接する係止面が、先端から基部に向かって差込み部の奥側に傾斜しているから、その係止面の傾斜により押え部材のばね力が係止孔を差込み部の奥側に押し込む作用が生ずる。これにより、フラットケーブルが差込み部の奥側に押し込まれる。すなわち、押え部材のばね力が、フラットケーブルの両側面を差込み部の両壁面に密接させるとともに、フラットケーブルの係止孔にロック部材の係止部を密接させるように、常に作用する。その結果、フラットケーブルがコネクタの差込み部に緩みなく、あるいはガタなく位置決め及び保持されるから、フラットケーブルの導体とコネクタの端子の接触導通部が振動等を受けても導通不良が発生するのを抑制することができる。
【発明の効果】
【０００９】
本発明によれば、フラットケーブルの導体とコネクタの端子の接触導通部が振動等を受けて導通不良が発生するのを防止することができる。
【図面の簡単な説明】
【００１０】
【図１】本発明のフラットケーブル用コネクタの一実施形態の分解斜視図を示す。
【図２】本実施形態の特徴部であるロック部材の全体斜視図及び要部の拡大図を示す。
【図３】本実施形態のフラットケーブル用コネクタとフラットケーブルの関連構成を説明する斜視図である。
【図４】本実施形態のフラットケーブル用コネクタとフラットケーブルの関連構成を説明する拡大断面図である。
【図５】本実施形態のフラットケーブル用コネクタとフラットケーブルの関連構成を示す断面図である。
【図６】本実施形態のフラットケーブル用コネクタの平面図と正面図である。
【図７】本実施形態のフラットケーブル用コネクタの係止部の動作を説明する断面図である。
【図８】本実施形態のフラットケーブル用コネクタの差込み部の側壁にフラットケーブルの側面が当接される状態を説明する断面図である。
【発明を実施するための形態】
【００１１】
以下、本発明のフラットケーブル用コネクタを、図１〜図８に示した一実施形態に基づいて説明する。図１に示すように、本実施形態のフラットケーブル用コネクタ１は、樹脂等により形成された絶縁性を有するハウジング２と、ハウジング２に装着される複数の端子を配列してなる端子３と、樹脂等により形成された絶縁性を有するロック部材４と、ロック部材４の両端をハウジング２に固定するとともに、ハウジング２側に押圧する一対の押え部材５を備えて形成されている。ハウジング２は、端子３の端子配列方向に沿う長手方向を有して形成され、底部壁２ａの長手方向の両端で支持された上部壁２ｂにより端子３を収容する空間が形成されている。上部壁２ｂは、長手方向に沿って張り出して形成された薄肉の張出部２ｃを有し、張出部２ｃは長手方向の両端が自由端とされている。これらの底部壁２ａと上部壁２ｂ及び張出壁２ｃとで、端子３が圧入等により装着される収容空間が形成され、端子３はハウジング２の図において背面側から収容空間に装着されるようになっている。端子３の背面側には外部接続端３ａが備えられ、外部接続端３ａを本実施形態のフラットケーブルコネクタ１が取り付けられる図示していない配線基板などの端子部に、はんだ付け等により電気的に接続されるようになっている。
【００１２】
また、ハウジング２には、端子３が収容された空間に、端子３に接触導通されるフラットケーブルの先端部の導体が差し込まれる差込み部６が形成されている。ハウジング２の両端部には、押え部材５の支持部５ａが圧入される溝部７がそれぞれ形成されている。押え部材５は、金属材等の弾性を有する部材で形成され、水平な支持部５ａの一端から起立して設けられた鉛直部５ｂと、鉛直部５ｂの上端から水平方向に延在して設けられたばね性を有するばね部５ｃを有して形成されている。
【００１３】
ロック部材４は、ハウジング２の長手方向に沿う長さの板材からなる架橋部４ａと、両端の固定部４ｂを備えて形成され、ハウジング２の張出部２ｃの上面に配置されるようになっている。ロック部材４は、両端の固定部４ｂによってハウジング２に固定されるようになっている。つまり、固定部４ｂは、図２に示すように、ハウジング２の両端部の溝部７に隣接して形成された嵌合溝９に嵌入される脚部４ｃと、上面に押え部材５のばね部５ｃが収容される凹部４ｄを有して形成されている。
【００１４】
一方、フラットケーブル２０は、図３（ａ）に示すように、例えば、可撓性を有する絶縁フィルムに複数の導体パターンを挟んで形成され、その先端部２１に複数の導体が露出され、その幅方向の両側に一対の矩形の係止孔２３が形成されている。そして、係止部８の先端がフラットケーブル２０の係止孔２３に挿入されて、係止孔２３と互いに係止して、フラットケーブル２０をハウジング２に固定するようになっている。
【００１５】
ロック部材４は、図３（ａ）に示すように、ハウジング２の上部壁２ｂの張出部２ｃの上面を覆って配置され、両端の固定部４ｂの凹部４ｄに押え部材５のばね部５ｃを収容しながら、支持部５ａをハウジング２の溝部７に圧入し、ばね部５ｃのばね力でロック部材４をハウジング２の張出部２ｃの上面に押圧するように組付けられている。そして、フラットケーブル２０の先端部２１がハウジング２の差込み部６に差し込まれると、先端部２１の複数の導体がハウジング２に装着された複数の端子３にそれぞれ接触して導通されるようになっている。
【００１６】
また、フラットケーブル２０の先端部が差し込まれるハウジング２の差込み部６の挿し込み口は、図３（ｂ）に示すように、フラットケーブル２０の差込みを案内するために、両側の側壁面６ａの間隔よりも入口壁面６ｂの間隔を広げて形成されている。
【００１７】
ここで、本実施形態の特徴部について説明する。まず、ロック部材４には、図２（ａ）、（ｂ）に示すように、ハウジング２側の下面に先細り状の係止部８が突出させて設けられている。それらの図は、同図（ｃ）の一点鎖線で囲ったＡ部の拡大図であり、同図（ａ）は差込み部６の差込み口側から見た図であり、同図（ｂ）は差込み口の反対側から見た図である。それらの図に示すように、係止部８は差込み方向に平行な板部材で先細り状に形成され、図３（ｃ）に示したフラットケーブル２０の係止孔２３に係止するようになっている。特に、係止孔２３の差込み方向の先端側の縁２３ａ（図３（ｃ）参照）に当接する係止面８ａが先端から基部に向かって、図２（ａ），（ｂ）に示すように、差込み部６の奥側に傾斜して形成されている。
【００１８】
また、フラットケーブル２０の先端部が差し込まれるハウジング２の差込み部６は、図４の断面図に示すように、入口壁面６ｂに続く両側の側壁面６ａの間隔が、差込み部６の奥に向かうにつれて狭くなるように形成されている。ここで、図４は、図５に示した断面図の一点鎖線で囲われたＤ部の拡大図である。図５は、本実施形態のフラットケーブル用コネクタ１を水平面で切断した断面図である。
【００１９】
次に、本実施形態のフラットケーブル用コネクタ１にフラットケーブル２０を組み付ける動作について、図７、図８を参照して説明する。図７（ａ）〜（ｄ）は、図６（ａ）の本実施形態のフラットケーブル用コネクタ１の上面図を矢視ＶII−ＶIIから見た断面図であり、フラットケーブル２０の組み付け途中の図である。同図（ａ）に示すように、フラットケーブル２０の先端部２１を図示矢印３０の方向からハウジング２の差込み部６に挿入すると、先端部２１の先端がロック部材４の係止部８の進入側の斜面８ｂに当接する。さらに、フラットケーブル２０を押し込むと、同図（ｂ）に示すように、押え部材５のばね部５ｃの弾性力に打ち勝って係止部８が、持ち上げられて（図示ｈ）、係止部８の先端はフラットケーブル２０の先端部２１の上を摺動する。さらに押し込むと、同図（ｃ）に示すように、係止部８の先端部がフラットケーブル２０の先端部２１の係止孔２３に進入して、押え部材５のばね部５ｃが元に復帰する。このとき、係止部８の係止面８ａが係止孔２３の差込み方向の先端側の縁２３ａに当接し、同図（ｄ）に示すように、係止部８の係止面８ａにより係止孔２３が矢印３０方向に押し込まれて、フラットケーブル２０の先端部２１が差込み部６の奥壁方向に付勢される。
【００２０】
この状態におけるフラットケーブル２０の先端部２１と差込み部６の両側壁面６ａとの関係を図８を参照して説明する。図８（ａ）は、図６（ｂ）の矢視線ＶIII―ＶIIIから見た断面図であり、図８（ｂ）は同図（ａ）の一点鎖線で囲まれたＥ部の拡大図である。それらの図に示すように、両側壁面６ａの間隔が、差込み部６の奥に向かうにつれて狭く形成されているから、平行な直状に形成されているフラットケーブル２０の先端部２１の幅に応じて、先端部２１の側面が両側壁面６ａに密接に当接される。
【００２１】
このように形成された本実施形態によれば、押え部材５のばね部５ａのばね力による係止部８と係止孔２３の係止力を介して、フラットケーブル２０の先端部２１の両側面が差込み部６の両側壁面６ａに押し付けられて密接されるとともに、フラットケーブル２０の係止孔２３にロック部材４の係止部８が密接されることになる。その結果、フラットケーブル２０がフラットケーブル用コネクタ１の差込み部６に緩みなく、あるいはガタなく位置決め及び保持されるから、フラットケーブル２０の導体とフラットケーブル用コネクタ１に装着された端子の接触導通部が振動等を受けても、導通不良が発生するのを抑制することができる。
【００２２】
以上、本発明を一実施形態に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【００２３】
例えば、本発明のロック部材をハウジングに固定する固定部の形状は、本実施形態に限られるものではなく、要は、ロック部材の係止部によってフラットケーブルの係止孔を押し込むことによって、ガタを防止できる配置及び形状であればよい。また、ロック部材をハウジングの端子の配列方向の両端部に固定して、ロック部材をハウジング側（方向）に押圧するばね部を有する押え部材についても、本実施形態ではいわゆるペグ（留め具）タイプで形成したが、上述した機能を実現するものであれば、種々の形状及び構造の押え部材を採用することができる。
【符号の説明】
【００２４】
１  フレットケーブル用コネクタ
２  ハウジング
３  端子
４  ロック部材
４ｂ  固定部
５  押え部材
５ａ  支持部
５ｃ  ばね部
６  差込み部
６ａ  側壁面
７  溝部
８  係止部
８ａ  係止面
２０  フラットケーブル
２１  先端部
２３  係止孔
２３ａ  縁
【図１】
2014216193.tif 000003
【図２】
2014216193.tif 000004
【図３】
2014216193.tif 000005
【図４】
2014216193.tif 000006
【図５】
2014216193.tif 000007
【図６】
2014216193.tif 000008
【図７】
2014216193.tif 000009
【図８】
2014216193.tif 000010